(57)【要約】【課題】上下のキャビネット同士を強固に連結するととともに、上部のキャビネットの収容空間の体裁を向上させる。【解決手段】上部キャビネット２の後面板６の下端に、前向片１６aと、その前端より起立する上向片１６bとからなる側面視Ｌ字状断面の屈折縁１６を形成し、この屈折縁１６内に固着した連結金具２１と、下部キャビネットの天板４とを、ねじ１９により締め付けることにより、下部キャビネットの上面に上部キャビネット２における屈折縁１６を固定し、かつ屈折縁１６内に、左右寸法が両側板５の対向面間の寸法と等しい、屈折縁１６の上方を覆いうる縦断面形状のカバー部材２３を、上方より着脱可能に嵌合する。【選択図】  図６
2010159800.tif 000002
【特許請求の範囲】
【請求項１】
上下のキャビネットの連結構造であって、
前記上部キャビネットは、左右の側板と、その後端部同士を連結する後面板とを備え、前記後面板の下端に、前向片と、その前端より起立する上向片とからなる側面視Ｌ字状断面の屈折縁を形成し、この屈折縁内に嵌合または固着した連結金具と、前記下部キャビネットにおける天板とを、ねじにより締め付けることにより、下部キャビネットの上面に上部キャビネットにおける前記屈折縁を固定し、かつ前記屈折縁内に、左右寸法が前記両側板の対向面間の寸法と等しい、屈折縁の上方を覆いうる縦断面形状のカバー部材を、上方より着脱可能に嵌合したことを特徴とする上下のキャビネットの連結構造。
【請求項２】
カバー部材を、下端部が屈折縁内に嵌合された側面視ほぼ後向きコ字状断面のものとしてなる請求項１記載の上下のキャビネットの連結構造。
【請求項３】
左右の側板の下端に、内向片と、その内端より起立する上向片とからなる正面視Ｌ字状断面の屈折縁を、後面板の屈折縁と連続するようにして形成し、側板と後面板とが交差するコーナー部の屈折縁内に、平面視Ｌ字状の連結金具を嵌合または固着し、この連結金具における側板側と後面板側に位置する部分と、下部キャビネットの天板とを、ねじにより締付けることにより、下部キャビネットの上面に前記コーナー部の両屈折縁を固定してなる請求項１または２記載の上下のキャビネットの連結構造。
【請求項４】
左右の側板が、外パネルと内パネルとからなり、前記外パネルの下端に、内向片と起立片とからなる屈折縁を形成し、この屈折縁に、内パネルの下端に設けた外向片を上方より嵌合させ、外パネルに内パネルを、互いの対向面間に隙間が形成されるようにして着脱可能に連結してなる請求項１〜３のいずれかに記載の上下のキャビネットの連結構造。
【請求項５】
カバー部材の両側端を、左右の内パネルの内側面に近接または当接させるとともに、カバー部材の両側端に外向き突設した係止片を、内パネルの後端と後面板の前面との間に形成した隙間に嵌合してなる請求項４記載の上下のキャビネットの連結構造。
【発明の詳細な説明】
【技術分野】
【０００１】
本発明は、上下に重ねたキャビネットの連結構造に関する。
【背景技術】
【０００２】
この種の上下に重ねたキャビネット等の連結構造としては、例えば特許文献１及び２に記載されているものがある。
【特許文献１】特開２００２−１９１４５７号公報
【特許文献２】特開平１０−３２７９４０号公報
【発明の開示】
【発明が解決しようとする課題】
【０００３】
上記特許文献１に記載されている連結構造では、下部の棚装置と、上部のキャビネットとにおける天板と底板との両側部を、単に前後複数のねじにより固定して連結しているのみであるので、天板や底板を薄肉の板金により形成した際に、互いの連結強度が問題となる。
また、キャビネットの底板上に、ねじの頭部が露呈するので、体裁も悪い。
さらに、上記ねじのみの連結では、例えば、下部の棚装置の天板を広い作業面として使用すべく、上部のキャビネットを、底板のない、下方及び前方に開放する構造としようとすると、キャビネットの周端部の下面のみをねじにより固定することとなるため、下部の棚装置との連結強度がより小さくなる。
【０００４】
特許文献２に記載されている連結構造においては、上部の筐体の周端部下面に形成した内向きＬ字状断面の空間部内に、取付金具を嵌合し、この取付金具と、筐体の下端と、下部の幅木台とを、ねじにより共締めしているので、上記特許文献１の連結構造に比して連結強度は大きい。
しかし、筐体における内向きＬ字状の折曲部、取付金具、及びねじの頭部が収容空間内に露呈するので、体裁が悪い。
【０００５】
本発明は、上記問題点に鑑みてなされたもので、上下に重ねたキャビネット同士を、強固に連結するととともに、上部のキャビネットの収容空間の体裁を向上しうるようにした、上下のキャビネットの連結構造を提供することを目的としている。
【課題を解決するための手段】
【０００６】
本発明によると、上記課題は、次の各項のようにして解決される。
（１）上下のキャビネットの連結構造であって、前記上部キャビネットは、左右の側板と、その後端部同士を連結する後面板とを備え、前記後面板の下端に、前向片と、その前端より起立する上向片とからなる側面視Ｌ字状断面の屈折縁を形成し、この屈折縁内に嵌合または固着した連結金具と、前記下部キャビネットにおける天板とを、ねじにより締め付けることにより、下部キャビネットの上面に上部キャビネットにおける前記屈折縁を固定し、かつ前記屈折縁内に、左右寸法が前記両側板の対向面間の寸法と等しい、屈折縁の上方を覆いうる縦断面形状のカバー部材を、上方より着脱可能に嵌合する。
【０００７】
このような構成とすると、下部キャビネットの天板の上面に、上部キャビネットにおける後面板の下端の屈折縁が強固に固定されるので、上下のキャビネット同士の連結強度が大となる。
また、後面板の下端に形成した屈折縁、屈折縁内に嵌合または固着した連結金具、及びねじ等は、屈折縁に上方より嵌合したカバー部材により覆われるので、上部キャビネットの収容空間の後部の体裁が向上する。
さらに、カバー部材の左右寸法を、左右の側板の対向面間の寸法と等しくしてあるので、カバー部材の両側端が、両側板の内面と当接することとなり、上部キャビネットの筐体の強度、特に、筐体後部の左右方向の剛性が高まる。
カバー部材を取外した状態で、ねじ止め作業を行いうるので、設置場所で上下のキャビネットを容易に連結することができる。
【０００８】
（２）上記(１)項において、カバー部材を、下端部が屈折縁内に嵌合された側面視ほぼ後向きコ字状断面のものとする。
【０００９】
このような構成とすると、カバー部材の上下寸法が小さく、その分、上部キャビネット内の奥行きが大となるので、収容空間の容積が減少するのを最小限に抑えることができる。
【００１０】
（３）上記(１)または(２)項において、左右の側板の下端に、内向片と、その内端より起立する上向片とからなる正面視Ｌ字状断面の屈折縁を、後面板の屈折縁と連続するようにして形成し、側板と後面板とが交差するコーナー部の屈折縁内に、平面視Ｌ字状の連結金具を嵌合または固着し、この連結金具における側板側と後面板側に位置する部分と、下部キャビネットの天板とを、ねじにより締付けることにより、下部キャビネットの上面に前記コーナー部の両屈折縁を固定する。
【００１１】
このような構成とすると、下部キャビネットの天板の上面に、上部キャビネットにおける側板と後面板とが交差する左右のコーナー部の屈折縁が、強固に固定されるので、上下のキャビネット同士の連結強度がより大となる。
【００１２】
（４）上記(１)〜(３)項のいずれかにおいて、左右の側板が、外パネルと内パネルとからなり、前記外パネルの下端に、内向片と起立片とからなる屈折縁を形成し、この屈折縁に、内パネルの下端に設けた外向片を上方より嵌合させ、外パネルに内パネルを、互いの対向面間に隙間が形成されるようにして着脱可能に連結する。
【００１３】
このような構成とすると、左右の側板の屈折縁、屈折縁内に嵌合または固着した補強金具、及びねじ等は、屈折縁に上方より嵌合した内パネルにより覆われるので、上部キャビネットの収容空間の内側部の体裁が向上する。
また、外パネルに、内パネルを着脱可能に連結してあるので、例えば内パネルを化粧パネルに交換したり、棚板を支持可能なパネルに交換したりすることができる。
さらに、内パネルを取外した状態で、ねじ止め作業を行いうるので、設置場所で上下のキャビネットを容易に連結することができる。
【００１４】
（５）上記(４)項において、カバー部材の両側端を、左右の内パネルの内側面に当接させるとともに、カバー部材の両側端に外向き突設した係止片を、内パネルの後端と後面板の前面との間に形成した隙間に嵌合する。
【００１５】
このような構成とすると、カバー部材の前後左右方向の動きが阻止されるので、これを安定よく屈折縁に装着することができる。
【発明の効果】
【００１６】
本発明によれば、下部キャビネットの天板の上面に、上部キャビネットにおける後面板の下端の屈折縁が強固に固定されるので、上下のキャビネット同士の連結強度が大となる。
また、後面板の下端に形成した屈折縁、屈折縁内に嵌合または固着した補強金具、及びねじ等は、屈折縁に上方より嵌合したカバー部材により覆われるので、上部キャビネットの収容空間の後部の体裁が向上する。
さらに、カバー部材の左右寸法を、左右の側板の対向面間の寸法とほぼ等しくしてあるので、カバー部材の両側端が、両側板の内面と近接または当接することとなり、上部キャビネットの筐体の強度、特に、筐体後部の左右方向の剛性が高まる。
【発明を実施するための最良の形態】
【００１７】
以下、本発明の実施形態を、図面に基づいて説明する。
図１は、本発明に基づいて連結された下部キャビネット１と上部キャビネット２の正面図、図２は、同じく側面図である。
【００１８】
下部キャビネット１は、上下左右に複数の引出し３を有する箱形をなし、上部キャビネット２は、その左右寸法が下部キャビネット１のそれと等しく、かつ前後寸法が下部キャビネット１のそれのほぼ半分の長さの陳列棚形をなし、上部キャビネット２は、下部キャビネット１における天板４の後半部の上面に載置して連結されている。
【００１９】
上部キャビネット２は、左右の側板５、５と、これらの後端面に固着された後面板６と、両側板５と後面板６の上端部に固着された上面板７とからなる、前方と下方が開放された板金製の筐体８と、両側板５の対向面により支持された上下複数段のガラス製棚板９とを備えている。
図３〜図６に示すように、上部キャビネット２における左右の側板５、５は、外パネル１０と内パネル１１とからなり、外パネル１０の前端には、内向片１２a とそれに続く後向片１２bとからなる平面視内向きＬ字状の屈折縁１２が形成され、同じく下端には、内向片１３aと上向片１３bとからなる、上記屈折縁１２と同じ幅の正面視Ｌ字状断面の屈折縁１３が、それぞれ形成されている。
【００２０】
内パネル１１の前端と下端とには、それぞれ外向片１１a、１１bが連設され、内パネル１１の前端部と前部側の外向片１１aを上記前部の屈折縁１２内に、同じく内パネル１１の下端部と下部の外向片１１bを下部の屈折縁１３内に、それぞれ着脱可能に嵌合し、かつ内パネル１１の上端部の左右複数箇所を、図７に示すように、外パネル１０の上端部の内側面に固着された左右方向を向くパネル支持部材１４の前面に、止めねじ１５をもって固定することにより、内パネル１１は、外パネル１０に、着脱可能、かつ互いの対向面間に所要の隙間が形成されるようにして連結されている。
【００２１】
後面板６の下端には、前向片１６aと上向片１６bとからなる、上記両屈折縁１２、１３と等幅をなす側面視Ｌ字状断面の屈折縁１６が形成されている。なお、外パネル１０と後面板６とは、それらの屈折縁１３、１６同士が、コーナー部において互いに連続するようにして連結されている。両屈折縁１３、１６のコーナー部の内部には、上向片１３b、１６bの上下寸法よりも厚さの小さい平面視Ｌ字状の連結金具１７が、スポット溶接等により固着されている。
【００２２】
下部キャビネット１と上部キャビネット２とを連結するには、まず上部キャビネット２を、下部キャビネット１の天板４の後半部に載置する。
【００２３】
ついで、図３、図４及び図６に示すように、後面板６と外パネル１０とのコーナー部において、それらの屈折縁１６、並びに屈折縁１３内に固着したＬ字状の連結金具１７における側板５側の前後２箇所と、後面板６側の内端部とに穿設された通孔１８に、上方より固定ねじ１９を挿入し、それらを、下部キャビネット１の天板４における上記各通孔１８と対向する位置に設けためねじ孔２０に螺合して締め付ける。
【００２４】
ついで、後面板６の屈折縁１６内の左右複数箇所に固着された、上記連結金具１７と等しい板厚の横長の連結金具２１における両側部の通孔１８に、図５に示すように、上方より固定ねじ１９を挿入し、この固定ねじ１９を、天板４の後端部に設けためねじ孔２０に螺合して締め付ける。
【００２５】
これにより、下部キャビネット１の天板４の上面に、上部キャビネット２における左右の外パネル１０と後面板６との下端の屈折縁１３、１６が強固に固定される。
【００２６】
ついで、左右の外パネル１０に、内パネル１１を、上述した要領で取付ける。この際、内パネル１１の下端の外向片１１bは、連結金具１７の上面に当接するようにして嵌合され、かつ外向片１１bにおける固定ねじ１９と対応する位置に切欠き２２を設けることにより、固定ねじ１９の頭部と干渉しないようにしてある。なお、固定ねじ１９を皿ねじとして、その上面が連結金具１７の上面と整合するようにすれば、上記切欠き２２は不要となる。
【００２７】
内パネル１１を装着したのち、後面板６の下端の屈折縁１６には、カバー部材２３が、次のようにして装着される。
図５及び図６に示すように、カバー部材２３は、左右の内パネル１１の対向面間の寸法と等しい左右寸法の底片２３a、前片２３b、及び上片２３cを有する側面視概ね後向きコ字状断面をなし、上片２３c両側端の後縁には、外向きの左右１対の係止片２４、２４が突設されている(図３参照)。
【００２８】
図３及び図５に示すように、上記左右の係止片２４を、内パネル１１の後面と後面板６の前面との間に形成された上下方向の隙間２５に嵌合させた状態で、カバー部材２３を下方にスライドさせ、その下端部を後面板６の屈折縁１６内に嵌合することにより、カバー部材２３は、その両側端が左右の内パネル１１の内側面と当接するようにして、屈折縁１６に装着されている。なお、両係止片２４を隙間２５に嵌合するには、カバー部材２３を斜めに傾けて行えばよい。
【００２９】
カバー部材２３の底片２３aにおける固定ねじ１９と対応する部分には、切欠き２６が形成され、底片２３aが固定ねじ１９の頭部と干渉しないようにしてある。なお、上記と同様、固定ねじ１９を皿ねじとして、切欠き２６を省略してもよい。
カバー部材２３の前片２３bにおける屈折縁１６ヘの嵌合部よりも上方の部分は、上向片１６bの前面と同一面に整合するように、若干前方に膨出させてある。
【００３０】
上記のように、上部キャビネット２を下部キャビネット１に固定した後、外パネル１０に内パネル１１を、かつ後面板６の屈折縁１６にカバー部材２３を、それぞれ装着すると、内パネル１１とカバー部材２３により、屈折縁１３、１６の上方が覆われ、連結金具１７、２１及び固定ねじ１９が隠蔽されるので、上部キャビネット２の収容空間の体裁が向上する。
また、左右の内パネル１１の下端部の対向面間にカバー部材が挟入されているので、上部キャビネット２における筐体８の強度、特に筐体８の後ろ下部の左右方向の剛性が高まる。
【００３１】
次に、上述した棚板９の支持構造について説明する。
図２及び図８〜図１２に示すように、上部キャビネット２の左右の側板５(左右同一構造につき、一方のみ図示する)における内パネル１１の前部と後部には、方形をなす複数の係止孔２７が、上下方向に一定間隔おきに穿設され、この左右に対向する任意の係止孔２７に、左右１対のブラケット２８、２８が、着脱可能に取付けられている。
【００３２】
左右のブラケット２８、２８は、棚板９の両側部を支持する前後方向を向く水平の棚板側部支持片２８aの外側端に、起立片２８bが連設された正面視Ｌ字状をなし、起立片２８bの上縁の前部と後部に外向きに突設された、概ねＬ字状断面の係合片２９、２９を、上記内パネル１１の前後の係止孔２７に係合させることにより、両ブラケット２８は、その起立片２８bの外面が内パネル１１の内面と当接するようにして、着脱可能に取付けられている。
【００３３】
左右のブラケット２８、２８における棚板側部支持片２８a、２８aの前端部の中央部には、前後方向を向く係合孔３０、３０が形成され、また、両棚板側部支持片２８bの内方の前端角部には、係合突部３１、３１が前向きに突設されている。
【００３４】
左右のブラケット２８の前端部間には、棚板９の前部を支持する板金製の前部棚枠３２が、次のようにして架設されている。
前部棚枠３２は、左右のブラケット２８の棚板側部支持片２８aの上面に載置され、棚板９の前端部を支持する左右方向を向く水平の棚板前部支持片３３と、この棚板前部支持片３３の前端より起立する、左右寸法が左右のブラケット２８の起立片２８b間の離間寸法と同等、もしくは若干小さい長さの上向片３４及び棚板前部支持片３３の前端より垂下する下向片３５とを備え、上向片３４と下向片３５は、それらの上下両端において、それぞれ板金を前下方と後上方に折り返すことにより、前後二重構造とされている。
【００３５】
下向片３５の折り返し片３５aの上端を、棚板前部支持片３３の前端部の下面より若干下方に位置させることにより、下向片３５の後面には、前方に凹入する左右方向を向く凹溝３５bが形成されている。なお、凹溝３５bの溝幅は、ブラケット２８の棚板側部支持片２８aの板厚よりも若干小さくしてある。
折り返し片３５aの上端部には、上記左右の棚板側部支持片２８a、２８aの係合突部３１、３１が後方より係合可能な、前方に凹入する左右１対の凹状の係合溝３６、３６が形成されている。係合突部３１の突出寸法は、係合溝３６の深さよりも若干大とされ、係合突部３１の前端が下向片３５の後面に当接するようにしてある。
【００３６】
棚板前部支持片３３の両側縁には、左右の棚板側部支持片２８a、２８aの係合孔３０、３０に嵌合されて、それよりも後方の棚板側部支持片２８aの下面に係合可能な側面視後向きＬ字状の係合爪３７、３７が、下向きに突設されている。両係合爪３７の前下部の角部３７aは、側面視円弧状の曲面とされ、かつ基部３７bの前後寸法は、係合孔３０に前後にがたなく嵌合しうるように、その前後寸法とほぼ同等か、僅かに大としてある。
両係合爪３７の連設部である棚板前部支持片３３の後端部の両側部には、切欠き３８、３８が形成されている。
【００３７】
前部棚枠３２を左右のブラケット２８に取付けるには、図９に示すように、前部棚枠３２全体を後傾させた状態で、左右の係合爪３７、３７の先端部を、左右のブラケット２８における棚板側部支持片２８aの係合孔３０に、斜め前上方より嵌合したのち、前部棚枠３２を、その棚板前部支持片３３が棚板側部支持片２８aの上面と当接する位置まで、矢印のように下向きに回動させればよい。すると、図１０に示すように、係合爪３７の後部の上端面が、棚板側部支持片２８aにおける係合孔３０より後方の下面に当接または近接するようにして係合し、かつ下向片３５の折り返し片３５aに設けた左右の係合溝３６に、左右の棚板側部支持片２８aに突設した係合突部３１が係合する。これにより、前部棚枠３２は、浮き上がり防止と外れ止めがなされ、かつ左右方向にがたつくのが防止されて、左右のブラケット２８の前端部上面に取付けられる。
【００３８】
また、係合溝３６に係合させた係合突部３１の前端が、下向片３５の後面に当接または近接し、かつ係合爪３７の基部３７bの前後寸法を、係合孔３０のそれとほぼ同等か、僅かに大としているので、前部棚枠３２が前後方向に移動する恐れは殆どない。なお、係合爪３７の前下部の角部３７aを、側面視円弧状の曲面としてあるので、係合爪３７の基部３７bの前後寸法を係合孔３０のそれとほぼ同等としても、係合爪３７を、斜め前上方から係合孔２９にスムーズに係合させることができる。
前部棚枠３２をブラケット２８より取り外す際は、下向片３５の後面に指を掛けるなどして、前部棚枠３２全体を、上記と反対に上向きに回動させればよい。
【００３９】
棚板９は、その両側端部と前端部とが、それぞれ、左右のブラケット２８、２８における棚板側部支持片２８a、２８aと、前部棚枠３２の棚板前部支持片３３とにより支持された状態で、両ブラケット２８と前部棚枠３２とにより囲まれた枠内に、安定よく装着されている。従って、棚板９には、何らの加工を施す必要がない。
また、前部棚枠３２は、左右のブラケット２８の前端部上面に、前後方向に移動するのが規制されて取付けられているので、万一、前部棚枠３２に後向きの強い衝撃力が加わったとしても、棚板９には後向きの外力や衝撃荷重が直接加わることがない。従って、棚板９に載置した物品を転倒させたり、比較的厚さの薄いガラス製の棚板９を使用しても、これを損傷させたりする恐れがない。
【００４０】
本発明は、上記実施形態に限定されるものではない。
上記実施形態においては、上部キャビネット２の内部の奥行きが小さくなって、収容空間の容積が減少しないように、カバー部材２３を、上下寸法の小さな側面視後向きコ字状断面をなす形状のものとしたが、側板５の内パネル１１のように、カバー部材２３の上下寸法を長くすることもある。
【００４１】
また、上記実施形態では、連結金具１７、２１の上方より挿入した固定ねじ１９を、下部キャビネット１の天板４のめねじ孔２０に螺合することにより、上下のキャビネット１、２同士を連結しているが、これとは反対に、天板４の下方より挿入した固定ねじ１９を、連結金具１７、２１に設けためねじ孔に螺合してもよく、あるいは連結金具１７、２１と天板４とを、ボルトとナットにより固定してもよい。
【００４２】
さらに、上記実施形態では、連結金具１７、２１を、屈折縁１３、１６の内部に固着してあるが、単に嵌合のみとすることもある。
【図面の簡単な説明】
【００４３】
【図１】本発明を適用して連結された下部キャビネットと上部キャビネットの正面図である。
【図２】同じく、側面図である。
【図３】図１のIII-III線拡大横断平面図である。
【図４】図３のIV-IV線拡大縦断正面図である。
【図５】同じく、V-V線拡大縦断側面図である。
【図６】上部キャビネットのコーナー部の連結部を、内部より見た斜視図である。
【図７】図２のVII-VII線拡大縦断正面図である。
【図８】図１のVIII-VIII線拡大縦断側面図である。
【図９】ブラケットへの前部棚枠の取付要領を示す側面図である。
【図１０】同じく、前部棚枠取付後の側面図である。
【図１１】左右のブラケットと前部棚枠との取付前の斜視図である。
【図１２】図８のXII-XII線拡大縦断正面図である。
【符号の説明】
【００４４】
１  下部キャビネット
２  上部キャビネット
３  引出し
４  天板
５  側板
６  後面板
７  上面板
８  筐体
９  棚板
１０  外パネル
１１a 外向片
１１b 外向片
１１  内パネル
１２  屈折縁
１２a 内向片
１２b 後向片
１３  屈折縁
１３a 内向片
１３b 上向片
１４  パネル支持部材
１５  止めねじ
１６  屈折縁
１６a 前向片
１６b 上向片
１７  連結金具
１８  通孔
１９  固定ねじ
２０  めねじ孔
２１  連結金具
２２  切欠き
２３  カバー部材
２３a 底片
２３b 前片
２３c 上片
２４  係止片
２５  隙間
２６  切欠き
２７  係止孔
２８  ブラケット
２８a 棚板側部支持片
２８b 起立片
２９  係合片
３０  係合孔
３１  係合突部
３２  前部棚枠
３３  棚板前部支持片
３４  上向片
３５  下向片
３５a 折り返し片
３５b 凹溝
３６  係合溝
３７  係合爪
３７a 角部
３７b 基部
３８  切欠き
【図１】
2010159800.tif 000003
【図２】
2010159800.tif 000004
【図３】
2010159800.tif 000005
【図４】
2010159800.tif 000006
【図５】
2010159800.tif 000007
【図６】
2010159800.tif 000008
【図７】
2010159800.tif 000009
【図８】
2010159800.tif 000010
【図９】
2010159800.tif 000011
【図１０】
2010159800.tif 000012
【図１１】
2010159800.tif 000013
【図１２】
2010159800.tif 000014